【事件の表示】
　特願２０１２−２０６２０８号「遊技機」拒絶査定不服審判事件〔平成２６年４月１０日出願公開、特開２０１４−６１０１２号〕について、次のとおり審決する。
【結　論】
　本件審判の請求は、成り立たない。
【理　由】
第１　手続の経緯
　本願は、平成２４年９月１９日の出願であって、平成２６年６月２３日付けで手続補正がなされ、平成２７年３月１３日付け拒絶理由通知に対して、同年５月１４日付けで意見書の提出及び手続補正がなされ、同年１０月２９日付け拒絶理由通知に対して、平成２８年１月５日付けで意見書が提出されたところ、同年６月２０日付け（発送日：同年６月２８日）で拒絶査定がなされ、これに対して、同年９月２１日に拒絶査定不服審判の請求がされるとともに、同日付けで手続補正（以下、「本件補正」という。）がなされ、さらに、同年１２月２２日付けで上申書が提出されたものである。
第２　本件補正についての補正却下の決定
［補正却下の決定の結論］
　本件補正を却下する。
［理由］
１　補正の内容
　本件補正は、明細書及び特許請求の範囲を補正するものであって、特許請求の範囲の請求項１について補正前に、
（平成２７年５月１４日付け手続補正）
「【請求項１】
　開始条件が成立したことにもとづいて、可変表示を行い、遊技者にとって有利な有利状態に制御可能な遊技機であって、
　未だ開始条件が成立していない可変表示について、保留記憶として記憶する保留記憶手段と、
　前記保留記憶手段に記憶されている保留記憶の各々に対応して第１の表示態様または第２の表示態様により保留表示を表示可能な保留表示手段と、
　開始条件が成立する前に、前記有利状態に制御されるか否かを判定する開始前判定手段と、
　前記開始前判定手段の判定結果にもとづいて、前記保留表示手段において前記第２の表示態様で保留表示を表示する保留予告演出を実行する保留予告演出実行手段と、
　前記保留表示手段に保留表示を表示する表示制御と、所定条件が成立したことにもとづいて前記保留表示手段において保留表示を所定期間非表示状態とする非表示制御と、を実行する保留表示制御手段とを備え、
　前記保留予告演出実行手段は、前記非表示制御が実行されている場合に、前記保留予告演出を禁止可能であり、
　前記保留表示制御手段は、前記非表示制御を終了するときに、前記第１の表示態様で保留表示を表示可能であり、
　可変表示が行われる可変表示手段とは異なる副演出表示装置をさらに備え、
　前記保留表示手段は、前記副演出表示装置の表示画面に設けられ、
　前記保留予告演出実行手段は、前記副演出表示装置において前記保留予告演出を実行する
　ことを特徴とする遊技機。」
とあったものを、
（本件補正である平成２８年９月２１日付け手続補正）
「【請求項１】
Ａ　開始条件が成立したことにもとづいて、可変表示を行い、遊技者にとって有利な有利状態に制御可能な遊技機であって、
Ｂ　未だ開始条件が成立していない可変表示に
関する情報を
Ｃ　前記保留記憶手段に記憶されている保留記憶の各々に対応して第１の表示態様または第２の表示態様により保留表示を表示可能な保留表示手段と、
Ｄ　開始条件が成立する前に、前記有利状態に制御されるか否かを判定する開始前判定手段と、
Ｅ　前記開始前判定手段の判定結果にもとづいて、前記保留表示手段において前記第２の表示態様で保留表示を表示する保留予告演出を実行する保留予告演出実行手段と、
Ｆ　前記保留表示手段に保留表示を表示する表示制御と、所定条件が成立したことにもとづいて前記保留表示手段において保留表示を所定期間非表示状態とする非表示制御と、を実行する保留表示制御手段とを備え、
Ｇ　前記保留予告演出実行手段は、前記非表示制御が実行されている場合に、前記保留予告演出を禁止可能であり、
Ｈ　前記保留表示制御手段は、前記非表示制御を終了するときに、前記第１の表示態様で保留表示を表示可能であり、
Ｉ　可変表示が行われる可変表示手段とは異なる副演出表示装置をさらに備え、
Ｊ　前記保留表示手段は、前記副演出表示装置の表示画面に設けられ、
Ｋ　前記保留予告演出実行手段は、前記副演出表示装置において前記保留予告演出を実行
し、
Ｌ　
前記所定条件は、可動部材である前記副演出表示装置が動作していることを少なくとも含む
　ことを特徴とする遊技機。」
と補正することを含むものである（下線部は補正箇所を示す。記号Ａ〜Ｌは、分説するため当審で付した。）。
２　補正の適否
　本件補正のうち特許請求の範囲の請求項１についてする補正は、補正前の請求項１に係る発明を特定するために必要な事項である「保留記憶手段」が記憶する内容に関して、補正前の「未だ開始条件が成立していない可変表示について」から「未だ開始条件が成立していない可変表示に関する情報」へと補正して、「情報」であることを限定するとともに、補正前の請求項１に係る発明を特定するために必要な事項である「保留表示制御手段」が保留表示を所定期間非表示状態とするための「所定条件」に関して、「可動部材である前記副演出表示装置が動作していることを少なくとも含む」との限定を付加するものである。
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、願書に最初に添付した明細書の段落【０５１３】には、「副演出表示装置９１が可動式に構成して、副演出表示装置９１のＬＣＤ部分を視認可能な状態から視認不可能な状態に切り替え可能とした場合、副演出表示装置９１のＬＣＤ部分を視認不可能な状態にすることで、保留記憶表示を非表示状態とする非表示制御を実行し・・・てもよい。」と記載されており、保留表示を非表示状態とするためには可動部材である副演出表示装置９１のＬＣＤ部分を視認不可能な状態に動作させることが必要な構成が示されているから、「保留表示制御手段」が保留表示を所定期間非表示状態とするための「所定条件」を、「可動部材である前記副演出表示装置が動作していることを少なくとも含む」ものとする補正は、願書に最初に添付した明細書、特許請求の範囲又は図面に記載した事項の範囲内においてしたものといえる。
　したがって、本件補正は、願書に最初に添付した明細書、特許請求の範囲又は図面の記載からみて、新規事項を追加するものではない。
３　独立特許要件
　そこで、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについて、以下に検討する。
（１）引用文献に記載された事項
ア　引用文献１
　原査定の拒絶の理由に引用された、本願の出願前に頒布された刊行物である特開２０１１−１１５３２９号公報（以下、「引用文献１」という。）には、図面とともに以下の事項が記載されている（下線は当審で付した。）。
（１−ア）
「【００３５】
  この実施形態の遊技機１０においては、遊技者が上記操作部２４を回動操作することによって、打球発射装置が、上皿２１から供給される遊技球を遊技盤３０前面の遊技領域３２に向かって発射する。また、遊技者が演出ボタン２５を操作することによって、
表示装置４１（図２参照）における変動表示ゲーム（飾り特図変動表示ゲーム）
・・・・・
【００３８】
  表示装置４１は、例えば、ＬＣＤ（液晶表示器）、ＣＲＴ（ブラウン管）等の表示画面を有する装置で構成されている。表示画面の画像を表示可能な領域（表示領域）には、複数の識別情報（特別図柄）や特図変動表示ゲームを演出するキャラクタや演出効果を高める背景画像等が表示される。
表示装置４１の表示画面においては、識別情報として割り当てられた複数の特別図柄が変動表示（可変表示）されて、特図変動表示ゲームに対応した飾り特図変動表示ゲームが行われる。
（１−イ）
「【００５８】
　始動入賞口３６への入賞球及び普通変動入賞装置３７への入賞球は、それぞれは内部に設けられた始動口１スイッチ３６ａと始動口２スイッチ３７ａによって検出される。始動入賞口３６へ入賞した遊技球は第１特図変動表示ゲームの始動入賞球として検出され、４個を限度に記憶されるとともに、普通変動入賞装置３７へ入賞した遊技球は第２特図変動表示ゲームの始動入賞球として検出され、４個を限度に記憶される。また、
この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に特図始動記憶として各々所定回数（例えば、最大で４回分）を限度に記憶される。
（１−ウ）
「【００６２】
  また、
第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞すると、
第１特図変動表示ゲーム（第２特図変動表示ゲーム）が開始され、この際に始動記憶数が１減算される
第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、始動入賞口３６（若しくは、普通変動入賞装置３７）に遊技球が入賞すると、始動記憶数が上限数未満ならば、始動記憶数が１加算されて始動記憶が１つ記憶されることになる。
始動記憶数が１以上となった状態で、第１特図変動表示ゲーム（第２特図変動表示ゲーム）が開始可能な状態（前回の特図変動表示ゲームの終了若しくは特別遊技状態の終了）となると、始動記憶数が１減算されるとともに、記憶された始動記憶に基づいて第１特図変動表示ゲーム（第２特図変動表示ゲーム）が開始される。
第１特図変動表示ゲームと第２特図変動表示ゲームを区別しない場合は、単に特図変動表示ゲームと称する。
（１−エ）
「【０１４８】
  そして、大当り乱数をＲＷＭの乱数セーブ領域にセーブし（ステップＡ２１７）、次に、対応する大当り図柄乱数をＲＷＭの乱数セーブ領域にセーブするとともに、その大当り図柄乱数をレジスタに退避する（ステップＡ２１８）。次に、対応する変動パターン乱数１をロード（変動パターン乱数１を抽出）し、ロードした値をＲＷＭの乱数セーブ領域にセーブし（ステップＡ２１９）、次に、対応する変動パターン乱数２をロード（変動パターン乱数２を抽出）し、ロードした値をＲＷＭの乱数セーブ領域にセーブし（ステップＡ２２０）、次に、対応する変動パターン乱数３をロード（変動パターン乱数３を抽出）し、ロードした値をＲＷＭの乱数セーブ領域にセーブする（ステップＡ２２１）。
ここで、ＲＷＭ（ＲＡＭ１１１Ｃ）は、始動入賞口３６や普通変動入賞装置３７の始動領域への遊技球の流入に基づいて各種乱数を抽出し、該抽出された各種乱数を始動記憶として所定の上限数まで記憶可能な始動記憶手段をなす。なお、始動記憶手段は、変動表示ゲームを実行させるための始動権利を始動記憶として所定の上限数の範囲内で記憶可能な手段であるとも言える。
（１−オ）
「【０１６２】
  すなわち、遊技制御装置１００が、始動記憶として記憶された乱数値を、当該始動記憶に対応する変動表示ゲームの実行前に事前に判定する事前判定手段をなす。なお、始動記憶に対応して記憶された乱数値を事前に判定する時期は、当該始動記憶が発生した始動入賞時だけではなく、当該始動記憶に基づく変動表示ゲームが行われる前であればいつでもよい。また、事前判定は、遊技を制御する遊技制御装置１００で行っても良いし、演出を制御する演出制御装置３００で行っても良い。さらに、両方で行っても良い。また、
特定の結果態様（例えば、特別結果態様）となることを事前判定するものでも良い
・・・・・
【０１６４】
  
図１３には、表示装置４１での表示態様を示した。図１３（ａ）に示すように、識別情報を表示する領域の下方には、特図始動記憶に対応した飾り特図始動記憶表示を表示する飾り特図始動記憶表示領域６１０が設定されている。
・・・・・
【０１６６】
  未実行表示領域６１２の
飾り特図始動記憶表示６００は、一の特図始動記憶に対応して一つの表示がなされるものであって
【０１６７】
  また、図１３（ｂ）に示す未実行表示領域６１２での右端の飾り特図始動記憶表示のように、未実行表示領域６１２の飾り特図始動記憶表示において、
事前判定手段の判定結果に基づいて表示態様を通常とは異なる予告表示態様で表示することで特図変動表示ゲームの結果を示唆する
【０１６８】
  図１３（ｃ）に示すように、未実行表示領域６１２での
飾り特図始動記憶表示６００の表示態様には四種類の表示態様があり、白色の丸印で示す通常表示態様と、黒色の丸印で示す第１予告表示態様と、白色の星印で示す第２予告表示態様と、黒色の星印で示す第３予告表示態様とがある。
（１−カ）
「【０１７６】
  
そして、図１４（ｃ）に示すように、非表示状態において予告表示態様とされる特図始動記憶が発生した場合（図１５のｔ４）、このタイミングでは予告表示態様の表示や効果音の出力を行わない。
（１−キ）
「【０１９８】
  飾り特図始動記憶表示６００の表示を上述のように制御することで、遊技者に確実に予告対象の始動記憶が発生したことを確実に認識させることができ、期待感を高めることができる。すなわち、
特図変動表示ゲームにおける演出態様の変化に応じて表示装置４１に表示されている飾り特図始動記憶表示６００を非表示状態に変更することで、特図始動記憶に関係なく（例えば、飾り特図始動記憶表示領域６１０を含めて画面全体で）画面変化を行うことができ、特図変動表示ゲームに関する装飾演出を効率よく行える。
（１−ク）
「【０２００】
  以上のことから、複数の識別情報による変動表示ゲームを表示可能な
変動表示装置（表示装置４１）
該変動表示ゲームの結果が予め定められた特別結果態様となった場合に、遊技者にとって有利な特別遊技状態を発生させる遊技機
始動記憶を変動表示装置に表示させる記憶表示制御手段（遊技制御装置１００、演出制御装置３００）
始動記憶手段に記憶された始動記憶に対応する変動表示ゲームの結果を当該変動表示ゲームの実行前に事前に判定する事前判定手段（遊技制御装置１００）
始動記憶が発生した場合に、事前判定手段の判定結果に基づいて、記憶表示制御手段で表示される始動記憶の表示態様を通常とは異なる表示態様で表示することで変動表示ゲームの結果を示唆可能な予告手段（演出制御装置３００）
変動表示ゲームにおける演出態様の変化に応じて変動表示装置に表示されている始動記憶を非表示状態に変更する記憶表示非表示化手段（演出制御装置３００）
（１−ケ）
「【０２２６】
  次に、上述した実施形態の遊技機の第４変形例について説明する。なお、基本的には、上述の実施形態の遊技機と同様の構成を有しており、以下、同様の構成を有する部分については同じ符号を付して説明を省略し、主に異なる部分について説明する。本変形例の遊技機は、非表示状態終了後の飾り特図始動記憶表示の表示方法が異なる。
【０２２７】
  図２１には、飾り特図始動記憶表示領域６１０を非表示とする非表示状態となる所定のリーチで、非表示状態において予告表示態様で表示される特図始動記憶が発生した場合を示した。なお、図２１（ａ）は、非表示状態の終了直前において特図変動表示ゲームの結果がはずれの結果態様で仮停止している状態であり、この状態は図１４（ｄ）と同じ状態である。また、これ以前の表示態様は図１４（ａ）から（ｄ）に示す表示態様と同様である。
【０２２８】
  図２１（ａ）に示すように、非表示状態において特図変動表示ゲームの結果がはずれの結果態様で仮停止した後、図２１（ｂ）に示すように非表示状態が終了する。なお、ここでは実行中表示領域６１１を省略している。
本変形例の遊技機では、図２１（ｂ）に示す非表示状態の終了直後においては、非表示状態で発生した特図始動記憶が予告表示態様で表示されるものであっても通常表示態様で表示する（図中に予告対象と示す飾り特図始動記憶表示６００）。
　上記（１−ア）〜（１−ケ）に基づき、引用文献１に記載された事項について、以下に検討する。
（１−ａ）
　上記（１−ウ）の段落【００６２】には、「第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞すると、・・・第１特図変動表示ゲーム（第２特図変動表示ゲーム）が開始され、・・・」、「始動記憶数が１以上となった状態で、第１特図変動表示ゲーム（第２特図変動表示ゲーム）が開始可能な状態（前回の特図変動表示ゲームの終了若しくは特別遊技状態の終了）となると、・・・第１特図変動表示ゲーム（第２特図変動表示ゲーム）が開始される。」と記載されている。
　これらの記載から、「第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞する」こと、及び、「始動記憶数が１以上となった状態で、第１特図変動表示ゲーム（第２特図変動表示ゲーム）が開始可能な状態（前回の特図変動表示ゲームの終了若しくは特別遊技状態の終了）となる」ことは、これにより「第１特図変動表示ゲーム（第２特図変動表示ゲーム）が開始され」るから、
開始条件
　また、同段落【００６２】には、「第１特図変動表示ゲームと第２特図変動表示ゲームを区別しない場合は、単に
特図変動表示ゲーム
複数の特別図柄が変動表示（可変表示）されて、特図変動表示ゲームに対応した飾り特図変動表示ゲームが行われる
変動表示ゲーム（飾り特図変動表示ゲーム）
　したがって、飾り特図変動表示ゲームは特図変動表示ゲーム（第１特図変動表示ゲームと第２特図変動表示ゲーム）に対応して行われるから、第１特図変動表示ゲーム（第２特図変動表示ゲーム）が開始されると、
複数の特別図柄が変動表示（可変表示）されて、変動表示ゲーム
が開始される
　さらに、上記（１−ク）の段落【０２００】には、「
該変動表示ゲームの結果が
特別結果態様となった場合に、遊技者にとって有利な特別遊技状態を発生させる遊技機
　以上のことから、引用文献１には、「
開始条件が成立すると、複数の特別図柄を変動表示（可変表示）して、変動表示ゲームを開始し、該変動表示ゲームの結果が特別結果態様となった場合に、遊技者にとって有利な特別遊技状態を発生させる遊技機
（１−ｂ）
　上記（１−エ）の段落【０１４８】には、「ここで、ＲＷＭ（ＲＡＭ１１１Ｃ）は、始動入賞口３６や普通変動入賞装置３７の始動領域への遊技球の流入に基づいて各種乱数を抽出し、該
抽出された各種乱数を始動記憶として
記憶可能な始動記憶手段
始動記憶手段は、変動表示ゲームを実行させるための始動権利を始動記憶として
記憶可能な
　また、上記（１−ウ）の段落【００６２】には、「第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、始動入賞口３６（若しくは、普通変動入賞装置３７）に遊技球が入賞すると、始動記憶数が上限数未満ならば、始動記憶数が１加算されて始動記憶が１つ記憶されることになる。」、「第１特図変動表示ゲーム（第２特図変動表示ゲーム）が開始され、この際に始動記憶数が１減算される」、「始動記憶数が１減算されるとともに、記憶された始動記憶に基づいて第１特図変動表示ゲーム（第２特図変動表示ゲーム）が開始される。」と記載されているから、上記（１−ａ）の検討を踏まえると、始動記憶は、
未だ開始条件が成立していない変動表示ゲーム
　したがって、引用文献１には、「
未だ開始条件が成立していない変動表示ゲームを実行させるための始動権利（抽出された各種乱数）を始動記憶として記憶可能な始動記憶手段
（１−ｃ）
　上記（１−オ）の段落【０１６４】には、「図１３には、
表示装置４１
飾り特図始動記憶表示を表示する
飾り特図始動記憶表示６００は、一の特図始動記憶に対応して一つの表示がなされる
　そして、上記（１−ク）の段落【０２００】には、「
変動表示装置
　さらに、上記（１−イ）の段落【００５８】には、「この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に
特図始動記憶
始動記憶
　また、上記（１−オ）の段落【０１６８】には、「飾り特図始動記憶表示６００の表示態様には四種類の表示態様があり、
白色の丸印で示す通常表示態様と、黒色の丸印で示す第１予告表示態様と、白色の星印で示す第２予告表示態様と、黒色の星印で示す第３予告表示態様とがある
　そして、「飾り特図始動記憶表示６００」は、一の特図始動記憶に対応して一つの表示がなされるものであり（段落【０１６６】）、一つの表示を同時に複数の表示態様で表示することはできないから、通常表示態様、第１予告表示態様、第２予告表示態様、第３予告表示態様の
いずれかにより表示
　したがって、引用文献１には、「
一の始動記憶に対応して一つの表示がなされ、白色の丸印で示す通常表示態様と、黒色の丸印で示す第１予告表示態様と、白色の星印で示す第２予告表示態様と、黒色の星印で示す第３予告表示態様のいずれかにより飾り特図始動記憶表示６００を表示する変動表示装置
（１−ｄ）
　上記（１−ク）の段落【０２００】には、「始動記憶手段に記憶された始動記憶に対応する
変動表示ゲームの結果を当該変動表示ゲームの実行前に事前に判定する事前判定手段
　また、上記（１−オ）の段落【０１６２】には、「特定の結果態様（例えば、
特別結果態様
となることを事前判定する
　したがって、引用文献１には、「
変動表示ゲームの結果が特別結果態様となることを当該変動表示ゲームの実行前に事前に判定する事前判定手段
（１−ｅ）
　上記（１−ク）の段落【０２００】には、「始動記憶が発生した場合に、
事前判定手段の判定結果に基づいて、
表示される始動記憶の表示態様を通常とは異なる表示態様で表示する
予告手段
　そして、同段落【０２００】には、「始動記憶を
変動表示装置に
　また、上記（１−オ）の段落【０１６７】には、「事前判定手段の判定結果に基づいて表示態様を
通常とは異なる予告表示態様
予告表示態様
　したがって、引用文献１には、「
事前判定手段の判定結果に基づいて、変動表示装置に表示される始動記憶の表示態様を通常とは異なる予告表示態様で表示する予告手段
（１−ｆ）
　上記（１−ク）の段落【０２００】には、「
始動記憶を変動表示装置に表示させる記憶表示制御手段
変動表示ゲームにおける演出態様の変化に応じて変動表示装置に表示されている始動記憶を非表示状態に変更する記憶表示非表示化手段
　したがって、引用文献１には、「
始動記憶を変動表示装置に表示させる記憶表示制御手段、及び、変動表示ゲームにおける演出態様の変化に応じて変動表示装置に表示されている始動記憶を非表示状態に変更する記憶表示非表示化手段
（１−ｇ）
　上記（１−カ）の段落【０１７６】には、「そして、図１４（ｃ）に示すように、
非表示状態において予告表示態様とされる特図始動記憶が発生した場合
、このタイミングでは予告表示態様の表示
を行わない
　そして、上記（１−ｃ）で検討したとおり、「特図始動記憶」が「
始動記憶
　また、上記（１−ｅ）の検討によれば、予告表示態様の表示を制御するのは予告手段であるから、
予告手段
　したがって、引用文献１には、「
前記予告手段は、非表示状態において予告表示態様とされる始動記憶が発生した場合、このタイミングでは予告表示態様の表示を行わない
（１−ｈ）
　上記（１−ケ）の段落【０２２８】には、「本変形例の遊技機では、図２１（ｂ）に示す
非表示状態の終了直後においては、非表示状態で発生した特図始動記憶が予告表示態様で表示されるものであっても通常表示態様で表示する
　また、上記（１−ｃ）で検討したとおり、「特図始動記憶」は、「
始動記憶
記憶表示制御手段
　したがって、引用文献１には、「
前記記憶表示制御手段は、非表示状態の終了直後においては、非表示状態で発生した始動記憶が予告表示態様で表示されるものであっても通常表示態様で表示する
　上記（１−ア）〜（１−ケ）の記載事項、及び、上記（１−ａ）〜（１−ｈ）の認定事項を総合すると、引用文献１には、次の発明（以下、「引用発明」という。）が記載されていると認められる（記号ａ〜ｈは、本願補正発明の記号Ａ〜Ｈに対応させて付した。なお、引用発明には本願補正発明の記号Ｉ〜Ｌに対応する構成がないため、記号ｉ〜ｌは用いていない。）。
「ａ　開始条件が成立すると、複数の特別図柄を変動表示（可変表示）して、変動表示ゲームを開始し、該変動表示ゲームの結果が特別結果態様となった場合に、遊技者にとって有利な特別遊技状態を発生させる遊技機であって、
ｂ　未だ開始条件が成立していない変動表示ゲームを実行させるための始動権利（抽出された各種乱数）を始動記憶として記憶可能な始動記憶手段と、
ｃ　一の始動記憶に対応して一つの表示がなされ、白色の丸印で示す通常表示態様と、黒色の丸印で示す第１予告表示態様と、白色の星印で示す第２予告表示態様と、黒色の星印で示す第３予告表示態様のいずれかにより飾り特図始動記憶表示６００を表示する変動表示装置と、
ｄ　変動表示ゲームの結果が特別結果態様となることを当該変動表示ゲームの実行前に事前に判定する事前判定手段と、
ｅ　事前判定手段の判定結果に基づいて、変動表示装置に表示される始動記憶の表示態様を通常とは異なる予告表示態様で表示する予告手段と、
ｆ　始動記憶を変動表示装置に表示させる記憶表示制御手段、及び、変動表示ゲームにおける演出態様の変化に応じて変動表示装置に表示されている始動記憶を非表示状態に変更する記憶表示非表示化手段とを備え、
ｇ　前記予告手段は、非表示状態において予告表示態様とされる始動記憶が発生した場合、このタイミングでは予告表示態様の表示を行わず、
ｈ　前記記憶表示制御手段は、非表示状態の終了直後においては、非表示状態で発生した始動記憶が予告表示態様で表示されるものであっても通常表示態様で表示する、遊技機。」
イ　引用文献２
　原査定の拒絶の理由に引用された、本願の出願前に頒布された刊行物である特開２００４−３２９５４０号公報（以下、「引用文献２」という。）には、図面とともに以下の事項が記載されている（下線は当審で付した。）。
（２−ア）
「【００１２】
【発明の実施の形態】以下、本発明の好ましい実施例について、添付図面を参照して説明する。本実施例では、
遊技機
（２−イ）
「【００５４】
このように、保留球数が表示されて遊技者が視認可能な通常状態とされた期間中に行われる変動表示であると判断された場合に１の有効ラインＬを有する通常の変動表示が実行され、保留球数を視認し得ない特別状態とされた期間中に行われる変動表示に対しては通常の変動表示より有効ラインＬを多数にした５本の有効ラインＬを有する特別の動的表示が実行される。よって、特別状態中の変動表示と、通常状態中の変動表示とを区分することができ、遊技者には複数種類の遊技性を提供することができる。
【００５５】
また、
特別状態においては、通常状態よりＬＣＤ３の表示画面３ａと保留表示装置８とが重なる量が少ないので、ＬＣＤ３の前面にはより大きな表示領域が確保され、この表示領域が確保されたときに有効ラインＬを多数にした特別の変動表示が実行される。
（２−ウ）
「【０１５７】
次に、図１４を参照して、第２実施例について説明する。上記した第１実施例では、ＬＣＤ３の上側に配設された保留表示装置８の回数表示部８ａ〜８ｄの点灯状態によって保留球数を表示し、その保留表示装置８をソレノイド１２によって回動させて回数表示部８ａ〜８ｄを上昇させることにより、遊技者が保留球数を視認困難にした。これに対し、第２実施例では、
保留球数を表示する保留表示装置２０２を
スライドさせて
【０１５８】
図１４は、第２実施例における中央表示装置２００の正面図であり、（ａ）は保留球数が表示された状態を示し、（ｂ）は保留球数が覆い隠された状態を示している。
ＬＣＤ３の表示画面３ａには、
変動図柄２０１ａが表示される表示領域が設けらている
表示画面３ａの右側上部には、
回数表示部２０２ｂを有する保留表示装置２０２が設けられる
赤色の丸印の表示
・・・・・
【０１６０】
保留表示装置２０２は、図１４（ａ）に示すように、下側に配置された状態においては回数表示部２０２ｂの前面側に上フレーム２０４の前面が重ならない位置に配置されており、モータ２０３が正方向（図１４（ａ）の時計回り方向）に駆動されてその軸に固着されたギヤ２０３ａが回動すると、ギヤ２０３ａに噛み合わされた保留表示装置２０２のラック２０２ａが上方にスライド移動する。モータ２０３が略半回転回動すると、保留表示装置２０２の回数表示部２０２ｂが上フレーム２０４の前面に重なり、
保留球数が視認し得ない状態
【０１６１】
このモータ２０３は、表示用制御基板Ｄの入出力ポート４５に接続されており（図示せず）、表示用制御基板Ｄの制御によって、第１実施例における遮蔽用ソレノイド１２がオンされるタイミングでモータ２０３を正方向に駆動して保留表示装置２０２の回数表示部２０２ｂが視認し得ない特別状態となるように移動する。一方、第１実施例における遮蔽用ソレノイド１２をオフするタイミングで、モータ２０３を逆方向に駆動して保留表示装置２０２を下降させ、
保留球数が視認可能な通常状態
【０１６２】
このように、第２実施例のパチンコ機Ｐにおいては、保留表示装置２０２を回数表示領域２０２ｂに重なるようにスライド移動するので、回数表示部２０２ｂの態様に基づいては保留球数が視認し得ない状態を、スライド移動する保留表示装置２０２と、その保留表示装置２０２をスライド移動させるモータ２０３と、保留表示装置２０２が上昇した場合にその回数表示部２０２ｂに重なる上フレーム２０４とにより実現することができる。
【０１６３】
なお、
第２実施例におけるＬＣＤ３の表示画面３ａには、第１実施例におけるＬＣＤ３の表示画面３ａと同様、保留球数が視認し得る通常状態と、保留球数が視認し得ない特別状態とに応じて有効ラインの数を変化させつつ変動表示が行われるように、主制御基板Ｃ等に制御を行わせても良い。
（２−エ）
「【０１６７】
例えば、上記第１実施例においては、保留表示装置８が動作して回数表示部８ａ〜８ｄに表示される保留球数を視認し得ない特別状態としたが、
特別状態としたときには回数表示部８ａ〜８ｄを強制的にすべて消灯状態にしても良い。
　上記（２−ア）〜（２−エ）の記載事項を総合すると、引用文献２には、次の発明が記載されていると認められる。
「変動図柄２０１ａが表示される表示領域が設けられているＬＣＤ３の表示画面３ａの右側上部には、赤色の丸印の表示により保留球数を表示する回数表示部２０２ｂを有する保留表示装置２０２が設けられ、保留表示装置２０２をスライドさせて、保留球数が視認可能な通常状態と、保留球数が視認し得ない特別状態にすることが可能な遊技機。」
（２）対比
　本願補正発明と引用発明とを対比する（対比にあたっては、本願補正発明の構成Ａ〜Ｈと引用発明の構成ａ〜ｈについて、それぞれ（ａ）〜（ｈ）の見出しを付けて行った。また、本願補正発明の構成Ｉ〜Ｌについては、（ｉ〜ｌ）との見出しを付けてまとめて検討した。）。
（ａ）引用発明の「複数の特別図柄を変動表示（可変表示）」することは、本願補正発明の「可変表示を行」うことに相当する。
　また、引用発明の「遊技者にとって有利な特別遊技状態を発生させる」ことは、本願補正発明の「遊技者にとって有利な有利状態に制御可能」であることに相当する。
　そうすると、引用発明の「開始条件が成立すると、複数の特別図柄を変動表示（可変表示）して、変動表示ゲームを開始し、該変動表示ゲームの結果が特別結果態様となった場合に、遊技者にとって有利な特別遊技状態を発生させる遊技機」は、
　本願補正発明の「開始条件が成立したことにもとづいて、可変表示を行い、遊技者にとって有利な有利状態に制御可能な遊技機」に相当する。
（ｂ）引用発明において、「変動表示ゲーム」は、複数の特別図柄を変動表示（可変表示）して行うものであるから（引用発明の構成ａを参照。）、引用発明の「変動表示ゲームを実行させるための始動権利（抽出された各種乱数）」は、本願補正発明の「可変表示に関する情報」に相当する。
　また、引用発明の「始動記憶」は、「未だ開始条件が成立していない変動表示ゲームを実行させるための始動権利」を記憶するものであり、開始条件が成立するまで始動権利を保留するものといえるから、本願補正発明の「保留記憶」に相当する。
　そうすると、引用発明の「未だ開始条件が成立していない変動表示ゲームを実行させるための始動権利（抽出された各種乱数）を始動記憶として記憶可能な始動記憶手段」は、
　本願補正発明の「未だ開始条件が成立していない可変表示に関する情報を保留記憶として記憶する保留記憶手段」に相当する。
（ｃ）引用発明において、「始動記憶」は始動記憶手段に記憶可能なものであるから（引用発明の構成ｂを参照。）、引用発明の「一の始動記憶に対応して一つの表示がなされ」ることは、本願補正発明の「前記保留記憶手段に記憶されている保留記憶の各々に対応して」「表示可能」であることに相当する。
　また、引用発明の「白色の丸印で示す通常表示態様」は、本願補正発明の「第１の表示態様」に相当し、引用発明の「黒色の丸印で示す第１予告表示態様と、白色の星印で示す第２予告表示態様と、黒色の星印で示す第３予告表示態様」は、本願補正発明の「第２の表示態様」に相当する。
　そして、引用発明の「飾り特図始動記憶表示６００」は、本願補正発明の「保留表示」に相当するから、引用発明の「飾り特図始動記憶表示６００を表示する変動表示装置」は、本願補正発明の「保留表示を表示可能な保留表示手段」に相当する。
　そうすると、引用発明の「一の始動記憶に対応して一つの表示がなされ、白色の丸印で示す通常表示態様と、黒色の丸印で示す第１予告表示態様と、白色の星印で示す第２予告表示態様と、黒色の星印で示す第３予告表示態様のいずれかにより飾り特図始動記憶表示６００を表示する変動表示装置」は、
　本願補正発明の「前記保留記憶手段に記憶されている保留記憶の各々に対応して第１の表示態様または第２の表示態様により保留表示を表示可能な保留表示手段」に相当する。
（ｄ）引用発明は、開始条件が成立すると変動表示ゲームを開始するものであるから（引用発明の構成ａを参照。）、引用発明の「当該変動表示ゲームの実行前」は、本願補正発明の「開始条件が成立する前」に相当する。
　また、引用発明は、「該変動表示ゲームの結果が特別結果態様となった場合に、遊技者にとって有利な特別遊技状態を発生させる」ものであるから（引用発明の構成ａを参照。）、引用発明の「変動表示ゲームの結果が特別結果態様となることを」「判定する」ことは、本願補正発明の「前記有利状態に制御されるか否かを判定する」ことに相当する。
　そうすると、引用発明の「変動表示ゲームの結果が特別結果態様となることを当該変動表示ゲームの実行前に事前に判定する事前判定手段」は、
　本願補正発明の「開始条件が成立する前に、前記有利状態に制御されるか否かを判定する開始前判定手段」に相当する。
（ｅ）上記（ｄ）で検討したとおり、引用発明の「事前判定手段」は、本願補正発明の「開始前判定手段」に相当し、上記（ｃ）で検討したとおり引用発明の「変動表示装置」は、本願補正発明の「保留表示手段」に相当する。
　また、引用発明の「通常とは異なる予告表示態様」は、「通常表示態様」を除く「第１予告表示態様」、「第２予告表示態様」及び「第３予告表示態様」を意味することは明らかであるから、上記（ｃ）の検討を踏まえると、本願補正発明の「第２の表示態様」に相当する。
　そうすると、引用発明の「始動記憶の表示態様を通常とは異なる予告表示態様で表示する」演出は、本願補正発明の「前記第２の表示態様で保留表示を表示する保留予告演出」に相当する。
　したがって、引用発明の「事前判定手段の判定結果に基づいて、変動表示装置に表示される始動記憶の表示態様を通常とは異なる予告表示態様で表示する予告手段」は、
　本願補正発明の「前記開始前判定手段の判定結果にもとづいて、前記保留表示手段において前記第２の表示態様で保留表示を表示する保留予告演出を実行する保留予告演出実行手段」に相当する。
（ｆ）引用発明の「始動記憶」の表示は、本願補正発明の「保留表示」に相当するから、引用発明の「始動記憶を変動表示装置に表示させる」制御は、本願補正発明の「前記保留表示手段に保留表示を表示する表示制御」に相当する。
　また、本願補正発明の構成Ｆにおける「所定条件」は、例えば可動物予告演出の開始タイミングとなること（本願明細書の段落【０４２５】）やスーパーリーチ演出の開始タイミングとなること（同段落【０４３２】）などを含む、保留表示を所定期間非表示状態とするための何らかの条件を意味するものと解されるところ、引用発明は、「変動表示ゲームにおける演出態様の変化に応じて変動表示装置に表示されている始動記憶を非表示状態に変更する」ものであるから、引用発明の「変動表示ゲームにおける演出態様」の所定の「変化」は、本願補正発明の「所定条件」に相当する。
　そして、引用発明の「記憶表示非表示化手段」は、「前記非表示制御を終了するときに、前記第１の表示態様で保留表示を表示可能」なものであるから（引用発明の構成ｈを参照。）非表示状態に変更すると、所定期間非表示状態とし、その後非表示制御を終了するものであるといえる。
　そうすると、引用発明の「変動表示ゲームにおける演出態様の変化に応じて変動表示装置に表示されている始動記憶を非表示状態に変更する」制御は、本願補正発明の「所定条件が成立したことにもとづいて前記保留表示手段において保留表示を所定期間非表示状態とする非表示制御」に相当する。
　したがって、引用発明の「始動記憶を変動表示装置に表示させる記憶表示制御手段、及び、変動表示ゲームにおける演出態様の変化に応じて変動表示装置に表示されている始動記憶を非表示状態に変更する記憶表示非表示化手段」は、
　本願補正発明の「前記保留表示手段に保留表示を表示する表示制御と、所定条件が成立したことにもとづいて前記保留表示手段において保留表示を所定期間非表示状態とする非表示制御と、を実行する保留表示制御手段」に相当する。
（ｇ）引用発明の「非表示状態において」は、本願補正発明の「前記非表示制御が実行されている場合」に相当する。
　また、引用発明の「予告表示態様とされる始動記憶が発生した場合、このタイミングでは予告表示態様の表示を行わ」ないことは、本願補正発明の「前記保留予告演出を禁止可能であ」ることに相当する。
　そうすると、引用発明の「非表示状態において予告表示態様とされる始動記憶が発生した場合、このタイミングでは予告表示態様の表示を行わ」ない「前記予告手段」は、
　本願補正発明の「前記非表示制御が実行されている場合に、前記保留予告演出を禁止可能であ」る「前記保留予告演出実行手段」に相当する。
（ｈ）引用発明の「非表示状態の終了直後」、「通常表示態様」、「始動記憶」の表示は、それぞれ本願補正発明の「前記非表示制御を終了するとき」、「第１の表示態様」、「保留表示」に相当する。
　そうすると、引用発明の「非表示状態の終了直後においては、非表示状態で発生した始動記憶が予告表示態様で表示されるものであっても通常表示態様で表示する」「前記記憶表示制御手段」は、
　本願補正発明の「前記非表示制御を終了するときに、前記第１の表示態様で保留表示を表示可能である」「前記保留表示制御手段」に相当する。
（ｉ〜ｌ）引用発明は、本願補正発明の構成Ｉ〜Ｌに対応する構成を有しないから、この点を相違点とした。
　上記（ａ）〜（ｉ〜ｌ）の検討により、本願補正発明と引用発明とは、
（一致点）
「Ａ　開始条件が成立したことにもとづいて、可変表示を行い、遊技者にとって有利な有利状態に制御可能な遊技機であって、
Ｂ　未だ開始条件が成立していない可変表示に関する情報を保留記憶として記憶する保留記憶手段と、
Ｃ　前記保留記憶手段に記憶されている保留記憶の各々に対応して第１の表示態様または第２の表示態様により保留表示を表示可能な保留表示手段と、
Ｄ　開始条件が成立する前に、前記有利状態に制御されるか否かを判定する開始前判定手段と、
Ｅ　前記開始前判定手段の判定結果にもとづいて、前記保留表示手段において前記第２の表示態様で保留表示を表示する保留予告演出を実行する保留予告演出実行手段と、
Ｆ　前記保留表示手段に保留表示を表示する表示制御と、所定条件が成立したことにもとづいて前記保留表示手段において保留表示を所定期間非表示状態とする非表示制御と、を実行する保留表示制御手段とを備え、
Ｇ　前記保留予告演出実行手段は、前記非表示制御が実行されている場合に、前記保留予告演出を禁止可能であり、
Ｈ　前記保留表示制御手段は、前記非表示制御を終了するときに、前記第１の表示態様で保留表示を表示可能である遊技機。」
である点で一致し、構成Ｉ〜Ｌに関する以下の点で相違している。
（相違点）
　本願補正発明は、可変表示が行われる可変表示手段とは異なる副演出表示装置を備え、保留表示手段は、前記副演出表示装置の表示画面に設けられ、保留予告演出実行手段は、前記副演出表示装置において保留予告演出を実行し、保留表示を所定期間非表示状態とするための所定条件は、可動部材である前記副演出表示装置が動作していることを少なくとも含むのに対して、引用発明は、副演出表示装置及びこれに関連する構成を有しない点。
（３）判断
ア　相違点の判断について
（ア）上記相違点について検討すると、上記３（１）イで検討したとおり、引用文献２には、
「変動図柄２０１ａが表示される表示領域が設けられているＬＣＤ３の表示画面３ａの右側上部には、赤色の丸印の表示により保留球数を表示する回数表示部２０２ｂを有する保留表示装置２０２が設けられ、保留表示装置２０２をスライドさせて、保留球数が視認可能な通常状態と、保留球数が視認し得ない特別状態にすることが可能な遊技機。」
の発明が記載されている。
　ここで、引用文献２の「変動図柄２０１ａが表示される表示領域が設けられているＬＣＤ３」は、本願補正発明の「可変表示が行われる可変表示手段」に対応するから、引用文献２の「変動図柄２０１ａが表示される表示領域が設けられているＬＣＤ３の表示画面３ａの右側上部」に設けられた「保留表示装置２０２」は、本願補正発明の「可変表示が行われる可変表示手段とは異なる副演出表示装置」（構成Ｉ）に対応する。
　そして、引用文献２の「保留表示装置２０２」が有する「赤色の丸印の表示により保留球数を表示する回数表示部２０２ｂ」は、本願補正発明の「前記副演出表示装置の表示画面に設けられ」る「前記保留表示手段」（構成Ｊ）に対応する。
　また、本願の願書に添付した明細書の段落【０５１３】には、「副演出表示装置９１が可動式に構成して、副演出表示装置９１のＬＣＤ部分を視認可能な状態から視認不可能な状態に切り替え可能とした場合、副演出表示装置９１のＬＣＤ部分を視認不可能な状態にすることで、保留記憶表示を非表示状態とする非表示制御を実行し・・・てもよい。」と記載され、可動式の副演出表示装置９１のＬＣＤ部分を視認不可能な状態に切り替え動作させることで、保留記憶表示を非表示状態とするものが示されているところ、引用文献２に記載された発明は、「保留表示装置２０２をスライドさせて」「保留球数が視認し得ない特別状態にする」ものであるから、引用文献２の副演出表示装置（保留表示装置２０２）は、「可動部材」といえるとともに、副演出表示装置を動作（スライド）させることにより保留表示を非表示状態とするもの（構成Ｌに関連）であるといえる。
　そうすると、引用文献２には、本願補正発明の用語を用いて表現すると、
「可変表示が行われる可変表示手段とは異なる副演出表示装置を備え、保留表示手段は、前記副演出表示装置の表示画面に設けられ、可動部材である副演出表示装置を動作させることにより保留表示を非表示状態とする遊技機。」
の発明が記載されているといえる。
（イ）また、上記（２−エ）の記載事項によれば、引用文献２の段落【０１６３】には、「第２実施例におけるＬＣＤ３の表示画面３ａには、第１実施例におけるＬＣＤ３の表示画面３ａと同様、保留球数が視認し得る通常状態と、保留球数が視認し得ない特別状態とに応じて有効ラインの数を変化させつつ変動表示が行われるように、主制御基板Ｃ等に制御を行わせても良い。」と記載され、上記（２−イ）の記載事項によれば、引用文献２の段落【００５５】には、「特別状態においては、通常状態よりＬＣＤ３の表示画面３ａと保留表示装置８とが重なる量が少ないので、ＬＣＤ３の前面にはより大きな表示領域が確保され、この表示領域が確保されたときに有効ラインＬを多数にした特別の変動表示が実行される。」と記載されている。
　一方、上記（１−キ）の記載事項によれば、引用文献１の段落【０１９８】には、「特図変動表示ゲームにおける演出態様の変化に応じて表示装置４１に表示されている飾り特図始動記憶表示６００を非表示状態に変更することで、特図始動記憶に関係なく（例えば、飾り特図始動記憶表示領域６１０を含めて画面全体で）画面変化を行うことができ、特図変動表示ゲームに関する装飾演出を効率よく行える。」と記載されている。
　そうすると、引用発明と引用文献２に記載された発明とは、保留表示を視認可能な状態（表示状態）から視認し得ない状態（非表示状態）へと切り替えて、保留表示されていた領域を含む広い表示領域を用いて演出を行うことが可能な遊技機という点で共通するものであり、さらに、引用発明においても、保留表示手段を可動部材に設けて演出を行えば、興趣の向上が図られることは明らかであるから、引用発明に対して引用文献２に記載された発明の構成を適用する動機付けが存在するといえる。
（ウ）そして、引用発明の保留予告演出実行手段（予告手段）は、保留表示手段（変動表示装置）に表示される保留表示（始動記憶）の表示態様を通常とは異なる予告表示態様で表示する保留予告演出を実行するものであり、保留表示手段に表示される保留表示を用いて保留予告演出を行うものといえるから、引用発明に対して引用文献２に記載された発明の構成を適用する場合に、保留予告演出実行手段が、保留表示手段が設けられた副演出表示装置において保留予告演出を実行するように構成すること（構成Ｋ）は、当業者であれば当然に実施できるものであるといえる。
（エ）したがって、引用発明の遊技機は、非表示制御において保留表示を所定期間非表示状態にするものであるところ、保留表示を非表示状態にするための手段として、保留表示（表示そのもの）を非表示にすることに代えて、引用文献２に記載された発明の構成を採用することにより、可変表示が行われる可変表示手段とは異なる副演出表示装置を設け（構成Ｉ）、保留表示手段を前記副演出表示装置の表示画面に設ける（構成Ｊ）とともに、可動部材である副演出表示装置を動作させることにより保留表示を非表示状態とする、すなわち、保留表示を所定期間非表示状態とするための所定条件として、可動部材である副演出表示装置が動作していることを含め（構成Ｌ）、併せて、保留予告演出実行手段が、保留表示手段が設けられた副演出表示装置において保留予告演出を実行するように構成して（構成Ｋ）、上記相違点に係る本願補正発明の構成とすることは、当業者が容易に想到できたことである。
イ　本願補正発明の作用効果について
　そして、本願補正発明の作用効果も、引用発明及び引用文献２に記載された発明から当業者が予測できる範囲のものであり、格別顕著なものとはいえない。
ウ　請求人の主張について
（ア）なお、請求人は審判請求書において、「引用文献３に記載された遊技機は、保留表示装置８を上昇させて回数表示部８ａ〜８ｄの表示面を上向きにし、更に回数表示部８ａ〜８ｄを上フレーム１３により覆って回数表示部８ａ〜８ｄを隠した特別状態に変化させるものです（引用文献３の段落００２８）。このとき、保留球数は回数表示部８ａ〜８ｄに表示されたままであるものと解されます。従って、引用文献３は、「前記保留表示手段において」保留表示を所定期間非表示状態とすることを開示していません。」（第４頁第１〜８行）と主張している。
　しかしながら、願書に添付した明細書の段落【０５１３】には、「副演出表示装置９１が可動式に構成して、副演出表示装置９１のＬＣＤ部分を視認可能な状態から視認不可能な状態に切り替え可能とした場合、副演出表示装置９１のＬＣＤ部分を視認不可能な状態にすることで、保留記憶表示を非表示状態とする非表示制御を実行し・・・てもよい。」と記載され、可動式の副演出表示装置９１のＬＣＤ部分を視認不可能な状態に切り替え動作させることで、保留記憶表示を非表示状態とするものが示されている。
　そうすると、引用文献２（請求人のいう「引用文献３」）に記載された、可動部材である副演出表示装置（保留表示装置２０２）を動作させることにより保留表示を視認し得ない状態にする構成も、保留表示手段において保留表示を非表示状態にするものといえる。
　また、仮に本願補正発明において、「非表示状態」が保留表示手段の表示自体を非表示（消灯状態）とするものに限定されるとしても、引用文献２の段落【０１６７】には、「特別状態としたときには回数表示部８ａ〜８ｄを強制的にすべて消灯状態にしても良い。」と記載されているから、そのような構成は、引用文献２に示唆されている。
　そうすると、請求人の上記主張は採用することができない。
（イ）また、請求人は審判請求書において、「また、引用文献３に記載された遊技機では、保留球数を視認困難な状態とするために保留表示装置を動作させています。これに対して、請求項１に係る発明は、可動部材である副演出表示装置が動作していることを条件に、保留表示を所定期間非表示状態とする非表示制御を実行するものです。このように、請求項１に係る発明は、引用文献３に記載された遊技機と概念的に異なります。」（第４頁第９〜１５行）と主張している。
　しかしながら、引用文献２（請求人のいう「引用文献３」）には、上記（ア）で検討したとおり、可動部材である副演出表示装置（保留表示装置２０２）を動作させることにより保留表示を非表示状態とする構成が記載されており、保留表示を非表示状態とするためには、可動部材である副演出表示装置を動作させることが必要であるから、引用文献２には、可動部材である副演出表示装置が動作していることを条件に、保留表示を非表示状態とする構成が記載されているといえる。
　そうすると、請求人の上記主張は採用することができない。
（４）まとめ
　したがって、本願補正発明は、引用発明及び引用文献２に記載された発明に基づいて当業者が容易に発明をすることができたものであるから、特許法第２９条第２項の規定により、特許出願の際に独立して特許を受けることができないものである。
４　むすび
　以上のとおり、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１〜３に係る発明は、平成２７年５月１４日付け手続補正書により補正された特許請求の範囲の請求項１〜３に記載された事項により特定されるとおりのものであるところ、その請求項１に係る発明（以下、「本願発明」という。）は、上記「第２［理由］１　補正の内容」に本件補正前の請求項１として記載したとおりのものである。
２　引用文献に記載された事項
　原査定の拒絶の理由に引用された引用文献１及び２の記載事項及び引用発明の認定については、上記「第２［理由］３（１）引用文献に記載された事項」に記載したとおりである。
３　対比・判断
　本願発明は、上記「第２［理由］」で検討した本願補正発明から、構成要件である「保留記憶手段」が記憶する内容に関して、「未だ開始条件が成立していない可変表示に関する情報」から「未だ開始条件が成立していない可変表示について」とし、「情報」であることの限定を省くともに、同じく構成要件である「保留表示制御手段」が保留表示を所定期間非表示状態とするための「所定条件」に関して、「可動部材である前記副演出表示装置が動作していることを少なくとも含む」との限定を省いたものである。
　そうすると、本願発明の特定事項をすべて含み、さらに他の事項を付加したものに相当する本願補正発明が、上記「第２［理由］３（２）対比、（３）判断」に記載したとおり、引用発明及び引用文献２に記載された発明に基づいて、当業者が容易に発明をすることができたものであるから、本願発明も、同様の理由により、引用発明及び引用文献２に記載された発明に基づいて、当業者が容易に発明をすることができたものである。
４　むすび
　以上のとおり、本願発明は、特許法第２９条第２項の規定により特許を受けることができないものである。
　したがって、その余の請求項について検討するまでもなく、本願は拒絶すべきものである。
　よって、結論のとおり審決する。